(57)【要約】【課題】照明器具本体に形成する取付穴の位置を所定位置に規定することにより、照明器具本体の変形を抑制できる照明器具を提供することを目的とする。【解決手段】本発明は、略長方形状の天板部を有する本体と、この本体に配設され、複数の発光素子が実装された基板と、この基板が熱的に結合される放熱部材とを備えた光源部と、前記天板部の長手方向に所定の離間距離を有するとともに、長手方向における本体外殻までの距離が前記離間距離に対して１／８以下の位置に形成された一対の取付穴とを備える照明器具である。【選択図】図４
2011249179.tif 000002
【特許請求の範囲】
【請求項１】
略長方形状の天板部を有する本体と；
この本体に配設され、複数の発光素子が実装された基板と、この基板が熱的に結合される放熱部材とを備えた光源部と；
前記天板部の長手方向に所定の離間距離を有するとともに、長手方向における本体外殻までの距離が前記離間距離に対して１／８以下の位置に形成された一対の取付穴と；
を具備することを特徴とする照明器具。
【請求項２】
前記取付穴から長手方向における本体外殻までの距離は、長手方向と直交する方向における本体外殻までの距離より短いことを特徴とする請求項１に記載の照明器具。
【発明の詳細な説明】
【技術分野】
【０００１】
本発明の実施形態は、ＬＥＤ等の発光素子を光源として用いる照明器具に関する。
【背景技術】
【０００２】
近時、ＬＥＤの高出力化、高効率化及び普及化に伴い、光源としてＬＥＤを用いた屋内で使用される照明器具が開発されている。この照明器具は、ＬＥＤを基板に複数実装して所定の光量を得るようにしたもので、例えば、天井面等に直接的に取付けられる、いわゆる直付タイプのベース照明として用いられている。
【０００３】
ＬＥＤ等の発光素子は、その温度が上昇するに従い、光出力の低下とともに寿命にも影響を与える。このため、ＬＥＤやＥＬ素子等の固体発光素子を光源とする照明器具では、寿命、効率の諸特性を改善するために発光素子の温度上昇を抑制する必要がある。
【０００４】
このため、発光素子から発生する熱を放熱部材によって放熱させる構成が採られ、この場合、放熱部材等の重量によって、照明器具全体の重量が増加する場合がある。
また、この照明器具は、一般的には、天井の構造体に設けられた一対の取付ボルトによって、天井面に支持され設置されるようになっている。
【先行技術文献】
【特許文献】
【０００５】
【特許文献１】特開２００９−５４９８９号公報
【発明の概要】
【発明が解決しようとする課題】
【０００６】
上記のような従来の照明器具において、一対の取付ボルト間の離間距離、すなわち、取付けピッチに対して、照明器具本体の外殻が大きいと、照明器具を天井面等に設置した状態で、照明器具本体が変形するという不具合が発生する可能性がある。
【０００７】
本発明は、上記課題に鑑みなされたもので、照明器具本体に形成する取付穴の位置を所定位置に規定することにより、照明器具本体の変形を抑制できる照明器具を提供することを目的とする。
【課題を解決するための手段】
【０００８】
本発明の照明器具は、略長方形状の天板部を有する本体と、この本体に配設された光源部を備えている。光源部は、複数の発光素子が実装された基板と、この基板が熱的に結合される放熱部材とを有している。一対の取付穴が天板部の長手方向に所定の離間距離を有して形成されており、取付穴は、取付穴から長手方向における本体外殻までの距離が前記離間距離に対して１／８以下の位置に形成されている。
【発明の効果】
【０００９】
本発明によれば、照明器具本体に形成する取付穴の位置を所定位置に規定したので、器具本体の変形を抑制できる照明器具を提供することが可能となる。
【図面の簡単な説明】
【００１０】
【図１】本発明の第１の実施形態に係る照明器具を示す斜視図である。
【図２】同照明器具を示す分解斜視図である。
【図３】同照明器具を背面側から見て示す斜視図である。
【図４】同照明器具の背面側を示す平面図である。
【図５】同照明器具において、カバー部材、基板及び放熱部材を取外して示す前面側の平面図である。
【図６】同照明器具の天井面への設置状態を示す一部断面図である。
【図７】本発明の第２の実施形態に係る照明器具を示す斜視図である。
【図８】同照明器具を背面側から見て示す斜視図である。
【図９】同照明器具の背面側を示す平面図である。
【図１０】同照明器具の天井面への設置状態を示す一部断面図である。
【図１１】同照明器具の天井面への設置状態を下方から見て示す平面図である。
【発明を実施するための形態】
【００１１】
以下、本発明の第１の実施形態について図１乃至図６を参照して説明する。なお、リード線等の配線部材関係の図示は省略し、また、各図において同一部分には同一符号を付し、重複した説明は省略する。
【００１２】
図１及び図２において、天井面へ設置される天井直付けタイプの照明器具が示されており、この照明器具は、横長の略直方体形状をなす器具本体１と、この器具本体１に配設された光源部２とを備えている。また、器具本体１は、天板部１１有し、光源部２は、複数の発光素子２１が実装された基板２２及び放熱部材２３を備えている。
【００１３】
具体的には、器具本体１は、亜鉛めっき鋼板から形成され、略長方形状であって長手方向両側に側壁を有する樋状をなす天板部１１と、この天板部１１の長手方向に沿って両側に取付けられた枠部材１２と、天板部１１の両端部に取付けられた側板１３とから構成されている。また、天板部１１の両端側には、詳細を後述する一対の取付穴３が形成されている。この取付穴３には、天井の構造体に設けられた一対の取付ボルトＢｔが外面側から貫通し、器具本体１が天井面に設置されるようになっている。
【００１４】
光源部２を構成する基板２２は、略長方形状に形成されており、複数、すなわち、６枚の基板２２が３枚ずつ２列に並べられて放熱部材２３に取付けられるようになっている。
【００１５】
基板２２は、絶縁材であるガラスエポキシ樹脂の平板からなり、表面側には銅箔で形成された配線パターンが施されている。また、適宜レジスト層が施されるようになっている。なお、基板２２の材料は、絶縁材とする場合には、セラミックス材料又は合成樹脂材料を適用できる。さらに、金属製とする場合は、アルミニウム等の熱伝導性が良好で放熱性に優れた材料を適用するのが好ましい。
【００１６】
発光素子２１は、ＬＥＤであり、表面実装型のＬＥＤパッケージである。概略的にはセラミックスで形成された本体に配設されたＬＥＤチップと、このＬＥＤチップを封止するエポキシ系樹脂やシリコーン樹脂等のモールド用の透光性樹脂とから構成されている。
【００１７】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００１８】
なお、ＬＥＤは、ＬＥＤチップを直接基板２２に実装するようにしてもよく、また、砲弾型のＬＥＤを実装するようにしてもよく、実装方式や形式は、格別限定されるものではない。
【００１９】
放熱部材２３は、熱伝導性が良好な板状のアルミニウム材料等から折曲して形成されていて、２列の平坦な取付面２３ａを有している。この取付面２３ａには、前記基板２２がその裏面側が密着してねじ止め等によって取付けられるようになっている。したがって、基板２２は、放熱部材２３に熱が伝導されるように放熱部材２３に熱的に結合されている。
【００２０】
また、点灯装置４が器具本体１の天板部１１の内側に取付けられている。点灯装置４は、箱状のケース内に回路部品を収容して構成されており、商用交流電源ＡＣに接続されていて、この交流電源ＡＣを受けて直流出力を生成するものである。点灯装置４は、例えば、全波整流回路の出力端子間に平滑コンデンサを接続し、この平滑コンデンサに直流電圧変換回路及び電流検出手段を接続して構成されている。したがって、点灯装置４は、基板２２を介して発光素子２１に接続されており、その直流出力を発光素子２１に供給し、発光素子２１を点灯制御するようになっている。
【００２１】
器具本体１の前面側には、発光素子２１が実装された基板２２を覆うように透光性のカバー部材５が取付けられている。カバー部材５は、アクリル樹脂等から長方形状に形成されており、フロスト処理が施されて発光素子２１から出射される光を拡散する機能を有するようになっている。
【００２２】
次に、図３乃至図６を参照して器具本体１の天板部１１に形成された取付穴３について説明する。図３乃至図５に示すように、略長方形状をなす天板部１１には、その長手方向の中心線状の両端側に、表裏に貫通し長円形をなした一対の取付穴３が形成されている。
【００２３】
図４及び図５に示すように、天板部１１に形成された一対の取付穴３の長手方向の離間距離Ａは、８００ｍｍに設定されている。そして、この取付穴３から長手方向における器具本体１の外形を形成する外殻までの距離Ｂは、前記離間距離Ａの１／８以下になるように設定されている。具体的には、距離Ｂは、１００ｍｍ以下となるように設定されており、本実施形態では、５０ｍｍとなるように設定されている。したがって、器具本体１の外形を形成する外殻の長手方向の寸法Ｌは、９００ｍｍとなっている。
換言すれば、取付穴３は、器具本体１の外形を形成する外殻までの距離Ｂが離間距離Ａに対して、１／８以下となる位置に形成されている。
【００２４】
また、取付穴３から長手方向における器具本体１の外形を形成する外殻までの距離Ｂは、取付穴３から長手方向と直交する方向における本体外殻までの距離Ｃより短くなるように設定されている。具体的には、距離Ｃは、１１０ｍｍとなっている。したがって、距離Ｂ≦１／８距離Ａ、距離Ｂ＜距離Ｃの寸法関係になっている。なお、天板部１１には、電源線を通す電源線通過孔１１ａ等が形成されている。
上記のように構成された照明器具の天井面Ｃへの設置状態について、主として図６を参照して説明する。
【００２５】
まず、設置にあたっては、図２に示すように、天井の構造体に設けられた一対の取付ボルトＢｔを外面側から天板部１１の取付穴３に通し、この取付ボルトＢｔに天板部１１の内面側からワッシャを介してナットＮｔを締め付ける。これにより、天板部１１の外面側が天井面Ｃに密着して器具本体１は、天井面Ｃに設置される。
【００２６】
この設置状態においては、照明器具の重量は、取付ボルトＢｔによって支持されており、また、取付ボルトＢｔの位置、すなわち、取付穴３の位置を支点として、照明器具の重量によって、図示矢印Ｗの方向に重量（モーメント）が作用するが、取付穴３から器具本体１の外形を形成する外殻までの距離Ｂは短く設定されており、離間距離Ａの１／８以下になっているので、重量の作用が軽減され、例えば、器具本体１が変形して、天板部１１の外面側と天井面Ｃとの間に隙間が生じて密着性が悪化するような現象を抑制できる。
【００２７】
仮に、取付穴３から器具本体１の外形を形成する外殻までの距離Ｂが長い場合には、この距離Ｂの間において、照明器具の重量がかかり、器具本体１が変形して、天板部１１の外面側と天井面Ｃとの間に隙間が生じやすくなる。
【００２８】
なお、本発明者は、取付穴３の形成位置を種々変更し、照明器具の天井面Ｃへの設置実験を実施した。その結果、取付穴３を、取付穴３から器具本体１の外形を形成する外殻までの距離Ｂが離間距離Ａに対して１／８以下となる位置に形成することにより、器具本体１の変形を抑制できることを確認した。
【００２９】
照明器具に設置状態において、点灯装置４に電力が供給されると、基板２２を介して発光素子２１に通電され、各発光素子２１が点灯する。発光素子２１から出射された光は、透光性のカバー部材５を透過して下方に放射され所定範囲が照射される。また、各発光素子２１から発生する熱は、基板２２の裏面側から放熱部材２３に伝導され、さらに器具本体１へ伝導されて放熱される。これによって、発光素子２１の温度上昇を抑制することができる。
【００３０】
なお、本実施形態において、器具本体は、天板部と、枠部材と、側板とから構成されている場合について説明したが、器具本体は、これら天板部、枠部材及び側板を一体的に構成することもできる。また、器具本体は、例えば、天板部のみで構成されていてもよく、さらに、放熱部材と一体化されたものであってもよい。
【００３１】
以上のように本実施形態によれば、取付穴３から長手方向における器具本体１の外形を形成する外殻までの距離Ｂは、一対の取付穴３間の離間距離Ａの１／８以下になるように設定されているので、器具本体１の変形を抑制でき、天板部１１の外面側と天井面Ｃとの間に隙間が生じるのを抑制できる照明器具を提供することが可能となる。
【００３２】
また、取付穴３から長手方向における器具本体１の外形を形成する外殻までの距離Ｂは、取付穴３から長手方向と直交する方向における本体外殻までの距離Ｃより短くなるように設定されているので、長手方向とそれと直交する方向との距離のバランスによって、器具本体１の変形を抑制する効果を向上できる。
【００３３】
次に、本発明の第２の実施形態に係る照明器具について図９乃至図１１を参照して説明する。なお、第１の実施形態と同一又は相当部分には同一符号を付し重複した説明は省略する。
本実施形態では、天井面Ｃの埋込み穴Ｈに埋込んで設置する天井埋込みタイプの照明器具を示している。
【００３４】
図７及び図８において、照明器具は、天板部１１を有する横長の略直方体形状をなす器具本体１と、この器具本体１に配設された光源部２とを備えている。天板部１１は、略長方形状であって長手方向両側に折曲した側壁を有し、側面形状が山型をなす樋状に形成されている。なお、光源部２の前面側には、ルーバが設けられ、配光を制御するようになっている。
【００３５】
図９に示すように、天板部１１に形成された一対の取付穴３の長手方向の離間距離Ａは、８００ｍｍに設定されている。この取付穴３から長手方向における器具本体１の外形を形成する外殻までの距離Ｂは、前記離間距離Ａの１／８以下になるように設定されている。具体的には、距離Ｂは、１００ｍｍ以下となるように設定されており、本実施形態では、５０ｍｍとなるように設定されている。したがって、器具本体１の外形を形成する外殻の長手方向の寸法Ｌは、９００ｍｍとなっている。
【００３６】
また、取付穴３から長手方向における器具本体１の外形を形成する外殻までの距離Ｂは、取付穴３から長手方向と直交する方向における本体外殻までの距離Ｃより短くなるように設定されている。
上記のように構成された照明器具の天井面Ｃへの設置状態について、図１０を参照して説明する。
【００３７】
設置にあたっては、器具本体１を天井面Ｃに形成された埋込み穴Ｈに下方から挿入する。天井の構造体に設けられた一対の取付ボルトＢｔを外面側から天板部１１の取付穴３に通し、この取付ボルトＢｔに天板部１１の内面側からワッシャを介してナットＮｔを締め付ける。これにより、照明器具は、取付ボルトＢｔによって支持され、器具本体１の前面側の鍔部１ａが天井面Ｃに当接して設置される。
【００３８】
この設置状態においては、取付穴３から器具本体１の外形を形成する外殻までの距離Ｂは、離間距離Ａの１／８以下になっているので、取付ボルトＢｔとナットＮｔの締め付け力による器具本体１の変形が軽減され、器具本体１と天井面Ｃとの間、詳しくは、器具本体１の前面側の鍔部１ａと天井面Ｃとの間に隙間が形成されることを抑制できる。
【００３９】
また、図１１に示すように、本実施形態の照明器具は、天井材の寸法と整合した寸法に設定されている。すなわち、天井面Ｃの天井材は、一般的には、一辺Ｌｃを３００ｍｍとする正方形状の部材で形成されている。この場合、器具本体１の外殻の長手方向の寸法Ｌは、９００ｍｍとなっているので、３枚の天井材を加工することによって、天井面Ｃに埋込み穴Ｈを形成することができる。仮に、直管形蛍光灯器具の通常の長手方向の寸法（１２５０ｍｍ）と同様な寸法に設定した場合には、５枚の天井材を加工する必要性が生じることとなる。
【００４０】
以上のように本実施形態によれば、取付穴３から長手方向における器具本体１の外形を形成する外殻までの距離Ｂは、一対の取付穴３間の離間距離Ａの１／８以下になるように設定されているので、器具本体１の変形を抑制できる照明器具を提供することが可能となる。
【００４１】
また、取付穴３から長手方向における器具本体１の外形を形成する外殻までの距離Ｂは、取付穴３から長手方向と直交する方向における本体外殻までの距離Ｃより短くなるように設定されているので、長手方向とそれと直交する方向との距離のバランスによって、器具本体１の変形を抑制する効果を向上できる。
さらに、器具本体１の外殻の長手方向の寸法Ｌは、９００ｍｍに設定されているので、天井材の加工作業を省力化できる。
【００４２】
なお、本発明は、上記実施形態の構成に限定されることなく、発明の要旨を逸脱しない範囲で種々の変形が可能である。例えば、発光素子は、ＬＥＤや有機ＥＬ等の固体発光素子が適用できる。また、発光素子を基板に実装する場合、発光素子を表面実装方式で実装する場合や発光素子を直接基板に実装する場合がある。発光素子の実装個数は、特段限定されるものではない。
【００４３】
基板の材料は、例えば、絶縁材とする場合には、合成樹脂材料又はセラミックス材料を適用できる。さらに、金属製とする場合は、アルミニウム等の熱伝導性が良好で放熱性に優れた材料を適用することができる。基板の材料や形態が限定されるものではない。
【００４４】
器具本体は、例えば、箱状に形成できる。また、天板部のみで構成されていてもよく、さらに、放熱部材と一体化されたものであってもよい。この場合は、器具本体の一部が放熱部材となり放熱機能を果たすこととなる。このように器具本体は、格別その形態が限定されるものではない。
基板と放熱部材との熱的な結合は、基板と放熱部材とが直接的に接触している場合のみならず、間接的に熱伝導が行われる形態であってもよい。
一対の取付穴は、同じ形状の取付穴に限定されるものではない。形状は異なっていても対となって構成されていればよい。
【符号の説明】
【００４５】
１・・・器具本体、２・・・光源部、３・・・取付穴、１１・・・天板部、
２１・・・発光素子（ＬＥＤ）、２２・・・基板、２３・・・放熱部材、
Ａ・・・離間距離、Ｂ・・・長手方向における本体外殻までの距離、
Ｃ・・・長手方向と直交する方向における本体外殻までの距離
【図１】
2011249179.tif 000003
【図２】
2011249179.tif 000004
【図３】
2011249179.tif 000005
【図４】
2011249179.tif 000006
【図５】
2011249179.tif 000007
【図６】
2011249179.tif 000008
【図７】
2011249179.tif 000009
【図８】
2011249179.tif 000010
【図９】
2011249179.tif 000011
【図１０】
2011249179.tif 000012
【図１１】
2011249179.tif 000013